(57)【特許請求の範囲】
【請求項１】
出力信号が互いに逆位相の第１、第２のコンデンサマイクロホンユニットと、
第１可変抵抗器と第２可変抵抗器を有する２連の可変抵抗器と、を備え、
上記第１コンデンサマイクロホンユニットの出力端子は、上記第１可変抵抗器の一方の端子、上記第２可変抵抗器の他方の端子、及び、平衡出力の一方に接続され、
上記第２コンデンサマイクロホンユニットの出力端子は、上記第１可変抵抗器の他方の端子、上記第２可変抵抗器の一方の端子、及び、平衡出力の他方に接続され、
上記第１可変抵抗器の摺動子は上記第１コンデンサマイクロホンユニットの振動板側に接続され、
上記第２可変抵抗器の摺動子は上記第２コンデンサマイクロホンユニットの固定極側に接続されている
コンデンサマイクロホン。
【請求項２】
上記第１コンデンサマイクロホンユニットは固定極出力であり、
上記第２コンデンサマイクロホンユニットは振動板出力である
請求項１記載のコンデンサマイクロホン。
【請求項３】
上記第１コンデンサマイクロホンユニットの出力信号と上記第２コンデンサマイクロホンユニットの出力信号は、
上記第１可変抵抗器の上記摺動子の位置に応じて合成されて第１の合成信号が生成され、該第１の合成信号が上記第１コンデンサマイクロホンユニットの上記振動板に加えられ、
上記第２可変抵抗器の上記摺動子の位置に応じて合成されて第２の合成信号が生成され、該第２の合成信号が上記第２コンデンサマイクロホンユニットの上記固定極に加えられる
請求項１または２に記載のコンデンサマイクロホン。
【請求項４】
上記第１コンデンサマイクロホンユニットの上記振動板に加えられる上記第１の合成信号が上記第１コンデンサマイクロホンユニットの出力信号を増加させる信号となる位置に上記第１可変抵抗器の摺動子があるとき、
上記第２可変抵抗器の摺動子は、上記第２コンデンサマイクロホンユニットの上記固定極に加えられる上記第２の合成信号が上記第２コンデンサマイクロホンユニットの出力信号を増加させる信号となる位置にある
請求項３に記載のコンデンサマイクロホン。
【請求項５】
上記第１コンデンサマイクロホンユニットの上記振動板に加えられる上記第１の合成信号が上記第１コンデンサマイクロホンユニットの出力信号を減少させる信号となる位置に上記第１可変抵抗器の摺動子があるとき、
上記第２可変抵抗器の摺動子は、上記第２コンデンサマイクロホンユニットの固定極に加えられる上記第２の合成信号が上記第２コンデンサマイクロホンユニットの出力信号を減少させる信号となる位置にある
請求項３または４に記載のコンデンサマイクロホン。
【請求項６】
上記第１コンデンサマイクロホンユニットの出力信号に対する上記第１可変抵抗器の抵抗値が最小となる位置に上記第１可変抵抗器の上記摺動子があるとき、上記第２可変抵抗器の上記摺動子は、上記第１コンデンサマイクロホンユニットの出力信号に対する上記第２可変抵抗器の抵抗値が最大となる位置にあり、
上記第１コンデンサマイクロホンユニットの出力信号に対する上記第１可変抵抗器の抵抗値が最大となる位置に上記第１可変抵抗器の上記摺動子があるとき、上記第２可変抵抗器の上記摺動子は、上記第１コンデンサマイクロホンユニットの出力信号に対する上記第２可変抵抗器の抵抗値が最小となる位置にある請求項１乃至５のいずれかに記載のコンデンサマイクロホン。
【請求項７】
上記第２コンデンサマイクロホンユニットの出力信号に対する上記第１可変抵抗器の抵抗値が最大となる位置に上記第１可変抵抗器の上記摺動子があるとき、上記第２可変抵抗器の上記摺動子は、上記第２コンデンサマイクロホンユニットの出力信号に対する上記第２可変抵抗器の抵抗値が最小となる位置にあり、
上記第２コンデンサマイクロホンユニットの出力信号に対する上記第１可変抵抗器の抵抗値が最小となる位置に上記第１可変抵抗器の上記摺動子があるとき、上記第２可変抵抗器の上記摺動子は、上記第２コンデンサマイクロホンユニットの出力信号に対する上記第２可変抵抗器の抵抗値が最大となる位置にある請求項１乃至６のいずれかに記載のコンデンサマイクロホン。
【請求項８】
上記第１コンデンサマイクロホンユニットの出力端は平衡出力のＨＯＴ側端子に接続され、上記第２コンデンサマイクロホンユニットの出力端は平衡出力のＣＯＬＤ側端子に接続されている請求項１乃至７のいずれかに記載のコンデンサマイクロホン。
【発明の詳細な説明】
【技術分野】
【０００１】
本発明は、コンデンサマイクロホンに関するものであって、詳しくは、信号対雑音比を劣化させずに、インピーダンス変換器への入力レベルの調整により出力信号の歪みを防ぐコンデンサマイクロホンに関するものである。
【背景技術】
【０００２】
コンデンサマイクロホンは、電気音響変換器であるコンデンサマイクロホンユニットのインピーダンスが高く、ＦＥＴ（電界効果型トランジスタ、以下同じ）などによるインピーダンス変換器を必要とする。インピーダンス変換器には、動作電源が必要である。この動作電源の電圧によって、コンデンサマイクロホンの最大出力レベルは制限されるので、コンデンサマイクロホンユニットに入力される音波の大きさが、最大出力レベルを超えるような大きさであると、出力信号が歪むことになる。
【０００３】
このような出力信号の歪みを防止するため、インピーダンス変換器への入力レベルを減衰させる「ＰＡＤ」が用いられる。ＰＡＤは、コンデンサマイクロホンユニットに並列接続されるコンデンサからなり、インピーダンス変換器の入力信号レベルを、コンデンサマイクロホンユニットとの静電容量の比に応じて減衰させる。これによってインピーダンス変換器への過大入力を防ぐことができる。
【０００４】
一方、インピーダンス変換器は固有の雑音を発生させるが、この雑音レベルは入力信号のレベルと関係なく一定である。つまり、ＰＡＤを用いることでインピーダンス変換器への入力レベルを減衰させて過大入力による歪みを防止すると、コンデンサマイクロホンの信号対雑音比を低下させることになる。
【０００５】
従来のコンデンサマイクロホンにおいて、信号対雑音比の低下を改善するために、不平衡であるインピーダンス変換器の出力を平衡にし、インピーダンス変換器から出力される音声信号の歪みを低減させるコンデンサマイクロホンが知られている（例えば、特許文献１参照）。
【先行技術文献】
【特許文献】
【０００６】
【特許文献１】特開２００６−１０１３０２号公報
【発明の概要】
【発明が解決しようとする課題】
【０００７】
特許文献１のコンデンサマイクロホンは、インピーダンス変換器の２次歪みを相殺して、出力ひずみを低減することができる。しかし、最大出力レベルを超えるような過大入力への対処にＰＡＤは必要であるから、ＰＡＤによる信号対雑音比の低下が生じる。
【０００８】
また、従来のコンデンサマイクロホンにおいて、入力レベルの大きさに応じてＰＡＤの動作を選択することができるものが知られている。図９には、従来のコンデンサマイクロホンの例を示す。図９に示すコンデンサマイクロホン１００は、コンデンサマイクロホンユニット２１および２２と、インピーダンス変換器３１および３２と、ＰＡＤ４０と、を有してなる。
【０００９】
コンデンサマイクロホンユニット２１の固定極２１２はインピーダンス変換器３１の入力端子に接続され、第１ＰＡＤ用コンデンサ４１はスイッチ４３を介してコンデンサマイクロホンユニット２１に並列に接続される。また、コンデンサマイクロホンユニット２２の振動板２２１はインピーダンス変換器３２の入力端子に接続され、第２ＰＡＤ用コンデンサ４２はスイッチ４３を介してコンデンサマイクロホンユニット２２に並列に接続される。コンデンサマイクロホンユニット２１の振動板２１１とコンデンサマイクロホンユニット２２の固定極２２２はともに接地されている。
【００１０】
ＰＡＤ４０を構成する第１ＰＡＤ用コンデンサ４１と、第２ＰＡＤ用コンデンサ４２の接続オン・オフは、スイッチ４３により切り替えることができる。コンデンサマイクロホン１００に入力される音波のレベルが小さいときは、スイッチ４３を開放してＰＡＤ４０の動作をオフにし、入力される音波のレベルが大きいとスイッチ４３を閉じてＰＡＤ４０の動作をオンにする。ＰＡＤ４０のオン・オフは利用者がスイッチ４３を操作することで適宜切り替わる。
【００１１】
また、ＰＡＤ４０の構成を、静電容量が異なる複数のコンデンサをスイッチにより切り替える構成にすることで、インピーダンス変換器への入力信号レベルの減衰量を多段階に可変させることができる。しかし、減衰量を連続的に可変させることはできず、また、インピーダンス変換器への入力レベルが小さくても増幅させることはできないので、信号対雑音比を一定に保つことはできない。
【００１２】
本発明は、上記課題に鑑みてなされたものであって、信号対雑音比を変化させることなく、入力レベルを連続的に減少させることができて過大入力に対してはＰＡＤとして機能し、入力レベルが小さいときに入力レベルを連続的に増加させることができるコンデンサマイクロホンを提供することを目的とする。
【課題を解決するための手段】
【００１３】
本発明は、出力信号が互いに逆位相の第１、第２のコンデンサマイクロホンユニットと、第１可変抵抗器と第２可変抵抗器を有する２連の可変抵抗器と、を備え、第１コンデンサマイクロホンユニットの出力端子は、第１可変抵抗器の一方の端子、第２可変抵抗器の他方の端子、及び、平衡出力の一方に接続され、第２コンデンサマイクロホンユニットの出力端子は、第１可変抵抗器の他方の端子、第２可変抵抗器の一方の端子、及び、平衡出力の他方に接続され、第１可変抵抗器の摺動子は第１コンデンサマイクロホンユニットの振動板側に接続され、第２可変抵抗器の摺動子は第２コンデンサマイクロホンユニットの固定極側に接続されている、ことを主な特徴とする。
【発明の効果】
【００１４】
本発明によれば、インピーダンス変換器への入力レベルを減衰させても信号対雑音比を変化させることなく、連続的に減衰量を調整することができる。
【図面の簡単な説明】
【００１５】
【図１】本発明に係るコンデンサマイクロホンの実施例を示す回路図である。
【図２】実施例におけるコンデンサマイクロホンが備える可変抵抗の摺動子を一方の端子側に移動させたときの例を示す回路図である。
【図３】実施例におけるコンデンサマイクロホンが備える可変抵抗の摺動子を一方の端子側に移動させたときの別の例を示す回路図である。
【図４】実施例におけるコンデンサマイクロホンが備える可変抵抗の摺動子を他方の端子側に移動させたときの例を示す回路図である。
【図５】実施例におけるコンデンサマイクロホンが備える可変抵抗の摺動子を他方の端子側に移動させたときの別の例を示す回路図である。
【図６】実施例におけるコンデンサマイクロホンが備える可変抵抗の摺動子が中点にあるときの周波数応答特線図である。
【図７】実施例におけるコンデンサマイクロホンが備える可変抵抗の摺動子がプラス側にあるときの周波数応答特線図である。
【図８】実施例におけるコンデンサマイクロホンが備える可変抵抗の摺動子がマイナス側にあるときの周波数応答特線図である。
【図９】従来のコンデンサマイクロホンの例を示す回路図である。
【発明を実施するための形態】
【００１６】
以下、本発明に係るコンデンサマイクロホンの実施例について図を用いて説明をする。図１は、本発明に係るコンデンサマイクロホン１０の実施例を示す回路図である。図１に示すようにコンデンサマイクロホン１０は、第１コンデンサマイクロホンユニット１１と、第２コンデンサマイクロホンユニット１２と、第１インピーダンス変換器１３と、第２インピーダンス変換器１４と、２連の可変抵抗器１５と、を有してなる。
【００１７】
第１コンデンサマイクロホンユニット１１は、振動板１１１と、固定極１１２と、を有し、振動板１１１と固定極１１２は図示しないスペーサを介して所定の隙間を形成した状態で、図示しないマイクロホンケースの内部に配置される。第２コンデンサマイクロホンユニット１２は、振動板１２１と、固定極１２２と、を有し、振動板１２１と固定極１２２は図示しないスペーサを介して所定の隙間を形成した状態で、図示しないマイクロホンケースの内部に配置される。
【００１８】
第１インピーダンス変換器１３と第２インピーダンス変換器１４はともにＦＥＴを有するインピーダンス変換回路である。第１コンデンサマイクロホンユニット１１は固定極出力であって、出力端である固定極１１２が第１インピーダンス変換器１３の入力端（ＦＥＴのゲート端子）に接続されている。第２コンデンサマイクロホンユニット１２は振動板出力であって、出力端である振動板１２１が第２インピーダンス変換器１４の入力端（ＦＥＴのゲート端子）に接続されている。
【００１９】
第１コンデンサマイクロホンユニット１１の出力信号は、第１インピーダンス変換器１３の出力端（ＦＥＴのドレイン端子）から出力され、第２コンデンサマイクロホンユニット１２の出力信号は、第２インピーダンス変換器１４の出力端（ＦＥＴのドレイン端子）から出力される。第１コンデンサマイクロホンユニット１１は固定極出力であり、第２コンデンサマイクロホンユニット１２は振動板出力であるから、第１コンデンサマイクロホンユニット１１と第２コンデンサマイクロホンユニット１２の出力信号は互いに逆位相の信号であり、コンデンサマイクロホン１０の出力は平衡出力である。図１に示すように、第１インピーダンス変換器１３の出力端を平衡出力のＨＯＴ端子とし、第２インピーダンス変換器１４の出力端を平衡出力のＣＯＬＤ端子とする。
【００２０】
第１インピーダンス変換器１３の出力端と第２インピーダンス変換器１４の出力端の間には可変抵抗器１５が接続されている。可変抵抗器１５は第１可変抵抗１５１と第２可変抵抗１５２とを有してなる２連の可変抵抗であって、第１可変抵抗１５１の第１摺動子１５３と、第２可変抵抗１５２の第２摺動子１５４は連動する。
【００２１】
第１可変抵抗１５１は、第１コンデンサマイクロホンユニット１１の出力端子である第１インピーダンス変換器１３の出力端と、第２コンデンサマイクロホンユニット１２の出力端子である第２インピーダンス変換器１４の出力端を接続するように配置されている。第２可変抵抗１５２は、第２コンデンサマイクロホンユニット１２の出力端子である第２インピーダンス変換器１４の出力端と、第１コンデンサマイクロホンユニット１１の出力端子である第１インピーダンス変換器１３の出力端を接続するように配置されている。
【００２２】
以下の説明において、第１可変抵抗１５１の第１インピーダンス変換器１３側の端子を「第１端子２１」、第１可変抵抗１５１の第２インピーダンス変換器１４側の端子を「第２端子２２」、第２可変抵抗１５２の第２インピーダンス変換器１４側の端子を「第３端子２３」、第２可変抵抗１５２の第１インピーダンス変換器１３側の端子を「第４端子２４」、という。また、以下の説明において、第１端子２１と第３端子２３をそれぞれ「プラス側」といい、第２端子２２と第４端子２４をそれぞれ「マイナス側」という。
【００２３】
第１可変抵抗１５１の第１端子２１と第２可変抵抗１５２の第４端子２４が接続され、第１可変抵抗１５１の第２端子２２と第２可変抵抗１５２の第３端子２３が接続されている。
【００２４】
ここで、第１摺動子１５３と第２摺動子１５４の「連動」について説明をする。第１摺動子１５３を第１端子２１側に移動させると第２摺動子１５４は第３端子２３側に移動し、第１摺動子１５３を第２端子２２側に移動させると第２摺動子１５４は第４端子２４側に移動する。当然ながら、第２摺動子１５４を第３端子２３側に移動させると第１摺動子１５３は第１端子２１側に移動し、第２摺動子１５４を第４端子２４側に移動させると第１摺動子１５３は第２端子２２側に移動する。このように、第１摺動子１５３または第２摺動子１５４のいずれか一方の摺動子を移動させることで他方の摺動子は所定の方向に移動する。
【００２５】
第１摺動子１５３は、第１コンデンサマイクロホンユニット１１の振動板１１１に接続されている。また、第２摺動子１５４は、第２コンデンサマイクロホンユニット１２の固定極１２２に接続されている。
【００２６】
第１コンデンサマイクロホンユニット１１の振動板１１１には、第１摺動子１５３を介して、第１コンデンサマイクロホンユニット１１の出力信号と、第２コンデンサマイクロホンユニット１２の出力信号との合成信号が加えられる。ここで、第１コンデンサマイクロホンユニット１１の出力信号と第２コンデンサマイクロホンユニット１２の出力信号は逆位相である。また、それぞれの出力信号に対する第１可変抵抗１５１の抵抗値は、第１摺動子１５３の位置に応じて決定される。この各出力信号に対する第１可変抵抗１５１の抵抗値の割合によって、互いに逆位相の出力信号が合成される。
【００２７】
同様に、第２コンデンサマイクロホンユニット１２の固定極１２２には、第２摺動子１５４を介して、第２コンデンサマイクロホンユニット１２の出力信号と、第１コンデンサマイクロホンユニット１１の出力信号との合成信号が加えられる。前述のとおり、第２コンデンサマイクロホンユニット１２の出力信号と第１コンデンサマイクロホンユニット１１の出力信号は逆位相である。また、それぞれの出力信号に対する第２可変抵抗１５２の抵抗値は、第２摺動子１５４の位置に応じて決定される。この各出力信号に対する第２可変抵抗１５２の抵抗値の割合によって、互いに逆位相の出力信号が合成される。
【００２８】
図１に示すように、第１摺動子１５３と第２摺動子１５４がそれぞれ、第１可変抵抗１５１と第２可変抵抗１５２の中点にあるときは、第１コンデンサマイクロホンユニット１１からの出力信号と第２コンデンサマイクロホンユニット１２からの出力信号に対する第１可変抵抗１５１の抵抗値は同じになるから、第１コンデンサマイクロホンユニット１１からの出力信号と第２コンデンサマイクロホンユニット１２からの出力信号は互いに相殺される。よって、第１摺動子１５３には合成信号は流れず、振動板１１１には第１コンデンサマイクロホンユニット１１の出力信号と同相の信号も逆位相の信号も加わらない。
【００２９】
同様に、第２コンデンサマイクロホンユニット１２からの出力信号と第１コンデンサマイクロホンユニット１１からの出力信号に対する第２可変抵抗１５２の抵抗値は同じになるから、第２コンデンサマイクロホンユニット１２からの出力信号と第１コンデンサマイクロホンユニット１１からの出力信号は互いに相殺される。よって、第２摺動子１５４には合成信号は流れず、固定極１２２には第２コンデンサマイクロホンユニット１２の出力信号と同相の信号も逆位相の信号も加えられない。
【００３０】
このように、第１摺動子１５３と第２摺動子１５４がそれぞれ第１可変抵抗１５１と第２可変抵抗１５２の中点にあるときは、第１コンデンサマイクロホンユニット１１と第２コンデンサマイクロホンユニット１２からの出力信号は増加や減少することなく、第１インピーダンス変換器１３と第２インピーダンス変換器１４に入力され、ＨＯＴ端子とＣＯＬＤ端子から平衡出力される。
【００３１】
図６は、第１摺動子１５３および第２摺動子１５４がそれぞれ第１可変抵抗１５１と第２可変抵抗１５２の中点にあるときの、コンデンサマイクロホン１０の周波数応答特性の例を示している。
【００３２】
次に、第１摺動子１５３と第２摺動子１５４を中点から移動させたときのコンデンサマイクロホン１０の出力信号について説明する。図２および図３は、第１摺動子１５３と第２摺動子１５４をそれぞれプラス側に移動させたときのコンデンサマイクロホン１０の例を示している。
【００３３】
第１摺動子１５３を介して振動板１１１に加えられる合成信号１６１は、第１可変抵抗１５１の抵抗値に応じて低下した第１コンデンサマイクロホンユニット１１の出力信号１６と第２コンデンサマイクロホンユニット１２の出力信号１７が合成された信号である。図２に示すように、第１摺動子１５３をプラス側に移動させたときは、出力信号１６に対する第１可変抵抗１５１の抵抗値は最小であって、出力信号１７に対する第１可変抵抗１５１の抵抗値は最大である。よって、第１摺動子１５３から振動板１１１に加えられる合成信号１６１は、第１コンデンサマイクロホンユニット１１の出力信号１６と同相の信号成分が最大割合の信号である。これによって、第１コンデンサマイクロホンユニット１１の固定極１１２からの出力レベルは増加する。
【００３４】
第２摺動子１５４を介して固定極１２２に加えられる合成信号１７１は、第２可変抵抗１５２の抵抗値に応じて低下した第２コンデンサマイクロホンユニット１２の出力信号１７と第１コンデンサマイクロホンユニット１１の出力信号１６が合成された信号である。図３に示すように、第２摺動子１５４をプラス側に移動させたときは、出力信号１６に対する第２可変抵抗１５２の抵抗値は最大であって、出力信号１７に対する第２可変抵抗１５２の抵抗値は最小である。よって、第２摺動子１５４から固定極１２２に加えられる合成信号１７１は、第２コンデンサマイクロホンユニット１２の出力信号１７と同相の信号成分が最大割合の信号である。これによって、第２コンデンサマイクロホンユニット１２の振動板１２１からの出力レベルは増加する。
【００３５】
このように、第１コンデンサマイクロホンユニット１１の出力信号に対する第１可変抵抗１５１の抵抗値が小さくなるように、第１摺動子１５３をプラス側に移動させると、第２摺動子１５４もプラス側に移動する。これによって、第２コンデンサマイクロホンユニット１２の出力信号に対する第１可変抵抗１５１の抵抗値が大きくなり、第１コンデンサマイクロホンユニット１１の出力信号に対する第２可変抵抗１５２の抵抗値が大きくなり、第２コンデンサマイクロホンユニット１２の出力信号に対する第２可変抵抗１５２の抵抗値は小さくなる。つまり、２連の可変抵抗器１５の抵抗値を変化させることで、第１インピーダンス変換器１３への入力信号と第２インピーダンス変換器１４への入力信号のレベルを連続的に増加させることができる。
【００３６】
図７は、第１コンデンサマイクロホンユニット１１と第２コンデンサマイクロホンユニット１２の出力信号を増加させる状態にあるときの、コンデンサマイクロホン１０の周波数応答特性の例を示している。同図は、第１摺動子１５３および第２摺動子１５４が中間位置にあるときの周波数応答特性(図６)に比べて出力レベルが約６ｄＢ増加していることを示している。
【００３７】
図４および図５は、第１摺動子１５３と第２摺動子１５４をそれぞれマイナス側に移動させたときのコンデンサマイクロホン１０の例を示している。図４に示すように、第１摺動子１５３をマイナス側に移動させたときは、出力信号１６に対する第１可変抵抗１５１の抵抗値は最大であって、出力信号１７に対する第１可変抵抗１５１の抵抗値は最小である。よって、第１摺動子１５３から振動板１１１に加えられる合成信号１６２は、第１コンデンサマイクロホンユニット１１の出力信号１６と逆位相の信号が最大の割合で合成されている信号である。これによって、第１コンデンサマイクロホンユニット１１の固定極１１２からの出力レベルは低下する。
【００３８】
また、図５に示すように、第２摺動子１５４をマイナス側に移動させたときは、出力信号１６に対する第２可変抵抗１５２の抵抗値は最小であって、出力信号１７に対する第２可変抵抗１５２の抵抗値は最大である。よって、第２摺動子１５４から固定極１２２に加えられる合成信号１７２は、第２コンデンサマイクロホンユニット１２の出力信号１７と逆位相の信号が最大の割合で合成されている信号である。これによって、第２コンデンサマイクロホンユニット１２の振動板１２１からの出力レベルは低下する。
【００３９】
このように、第１コンデンサマイクロホンユニット１１の出力信号に対する第１可変抵抗１５１の抵抗値が大きくなるように、第１摺動子１５３をマイナス側に移動させると、第２摺動子１５４もマイナス側に移動する。これによって、第２コンデンサマイクロホンユニット１２の出力信号に対する第１可変抵抗１５１の抵抗値は小さくなり、第１コンデンサマイクロホンユニット１１の出力信号に対する第２可変抵抗１５２の抵抗値は小さく、第２コンデンサマイクロホンユニット１２の出力信号に対する第２可変抵抗１５２の抵抗値は大きくなる。つまり、２連の可変抵抗器１５の抵抗値を変化させることで、第１インピーダンス変換器１３への入力信号と第２インピーダンス変換器１４への入力信号のレベルを連続的に減少させることができる。
【００４０】
図８は、第１コンデンサマイクロホンユニット１１と第２コンデンサマイクロホンユニット１２の出力信号を減少させる状態にあるときの、コンデンサマイクロホン１０の周波数応答特性の例を示している。同図は第１摺動子１５３および第２摺動子１５４が中間位置にあるときの周波数応答特性(図６)に比べて出力レベルが約６ｄＢ減少していることを示している。
【００４１】
以上のように、コンデンサマイクロホン１０へ入力される音波のレベルが小さいときは、可変抵抗器１５の第１摺動子１５３と第２摺動子１５４をともに、プラス側に移動させることで、インピーダンス変換器への入力信号のレベルが大きくなる。その結果、ＨＯＴ端子とＣＯＬＤ端子から出力される平衡出力信号のレベルは大きくなり、また、インピーダンス変換器への入力信号レベルが大きくなってもインピーダンス変換器固有の雑音レベルは変化しないから、信号対雑音比を悪化させることなく、好適な出力レベルを得ることができる。
【００４２】
また、可変抵抗器１５によって、従来のＰＡＤと同様の効果を得ることができる。可変抵抗器１５によって第１インピーダンス変換器１３と第２インピーダンス変換器１４への入力レベルを減少させ、ＨＯＴ端子とＣＯＬＤ端子から出力される平衡出力信号の歪みを防ぎ、好適な出力信号を得ることができる。
【００４３】
本実施例に係るコンデンサマイクロホン１０によれば、可変抵抗器１５によって、第１インピーダンス変換器１３と第２インピーダンス変換器１４への信号の入力レベルを−６ｄＢ〜＋６ｄＢの間で連続して変化させることができる。これによって、過大入力に対しては信号レベルを減衰させ、過少入力に対しては信号レベル増幅させることができ、かつ、信号対雑音比は変化させないコンデンサマイクロホンを得ることができる。
【符号の説明】
【００４４】
１０  コンデンサマイクロホン
１１  第１コンデンサマイクロホンユニット
１２  第２コンデンサマイクロホンユニット
１３  第１インピーダンス変換器
１４  第２インピーダンス変換器
１５  可変抵抗器
１５１  第１可変抵抗
１５２  第２可変抵抗
１５３  第１摺動子
１５４  第２摺動子
【図１】
0005995532.tif 000002
【図２】
0005995532.tif 000003
【図３】
0005995532.tif 000004
【図４】
0005995532.tif 000005
【図５】
0005995532.tif 000006
【図６】
0005995532.tif 000007
【図７】
0005995532.tif 000008
【図８】
0005995532.tif 000009
【図９】
0005995532.tif 000010